(57)【要約】【解決手段】可動分割櫛部２７を有する可動板１４は、雌雄ねじ機構による隙間間隔調節手段３０により、固定分割櫛部２０を有する台板１２に対し各櫛歯２３の並設方向Ｘに沿って移動可能に設けられている。また、刃体１６を取り付けた可動体１５は、雌雄ねじ機構による刃先調節手段３５により、この台板１２に対し各櫛歯２３の長さ方向Ｙに沿って移動可能に設けられている。【効果】各櫛歯２３，２９間で生じる隙間の間隔を変更可能にしたので、各櫛歯２３，２９間の隙間に入り込むヘア量（ヘア本数）を変更してヘアカット量（ヘアカット本数）を容易に調節することができる。また、各櫛歯２３，２９間の隙間で刃先１６ａの露出量を変更可能にしたので、ヘアカット量（カット後に残るヘアのカット長さ）も容易に調節することができる。【選択図】図４
2005185580.tif 000002
【特許請求の範囲】
【請求項１】
互いに隙間をあけて並設した複数本の櫛歯を有する櫛部と、この各櫛歯間の隙間に露出する刃体とを備えたヘアカッターにおいて、この各櫛歯間の隙間のうち各櫛歯の並設方向に沿う間隔を調節する隙間間隔調節手段を備えたことを特徴とするヘアカッター。
【請求項２】
前記隙間間隔調節手段は、互いに隙間をあけて並設した複数本の櫛歯を有する複数の分割櫛部を互いに面して並べてその各分割櫛部を互いに各櫛歯の並設方向に沿って櫛操作部で相対移動可能に設けることにより、その各分割櫛部の相対移動に伴い、各分割櫛部の各櫛歯間で生じる隙間の間隔を変更可能にしたものであることを特徴とする請求項１に記載のヘアカッター。
【請求項３】
前記各分割櫛部は、各櫛歯の並設方向に対し直交する各櫛歯の厚み方向で隣接する各櫛歯が互いに面して並ぶ状態を取り得ることを特徴とする請求項２に記載のヘアカッター。
【請求項４】
前記複数の分割櫛部は、把持部に設けた固定分割櫛部と、この固定分割櫛部に対し各櫛歯の並設方向に沿って移動可能に設けた可動分割櫛部とを備えていることを特徴とする請求項２または請求項３に記載のヘアカッター。
【請求項５】
前記可動分割櫛部は一対の固定分割櫛部間に挟持されていることを特徴とする請求項４に記載のヘアカッター。
【請求項６】
前記一対の固定分割櫛部は、前記可動分割櫛部を挟持する挟持状態と、この可動分割櫛部をこの両固定分割櫛部間から取り出し得る挟持解除状態とを取り得ることを特徴とする請求項５に記載のヘアカッター。
【請求項７】
前記可動分割櫛部は雌雄ねじ機構による櫛操作部により固定分割櫛部に対し移動することを特徴とする請求項４または請求項５または請求項６に記載のヘアカッター。
【請求項８】
前記可動分割櫛部の櫛歯の先端部は、固定分割櫛部の櫛歯間の隙間で固定分割櫛部の櫛歯の先端部に対し各櫛歯の並設方向に沿って隣接する溝部を有していることを特徴とする請求項４から請求項７のうちいずれかの請求項に記載のヘアカッター。
【請求項９】
前記刃体は前記各櫛歯の基端部と先端部との間で各櫛歯の並設方向に沿って延びて各櫛歯間の隙間に露出し得る刃先を有し、この各櫛歯の先端に対する刃先の離間距離を調節する刃先調節手段を備えたことを特徴とする請求項４から請求項８のうちいずれかの請求項に記載のヘアカッター。
【請求項１０】
前記刃先調節手段は、各櫛歯の並設方向に対し直交する各櫛歯の長さ方向に沿って前記刃体を各櫛歯に対し刃体操作部で相対移動可能に設けることにより、その刃体の相対移動に伴い、各櫛歯の先端部に対する刃先の離間距離を変更可能にしたものであることを特徴とする請求項９に記載のヘアカッター。
【請求項１１】
前記刃先調節手段において、刃体は可動体に取り付けられ、この可動体は各櫛歯の並設方向に対し直交する各櫛歯の長さ方向に沿って前記可動分割櫛部に対し移動可能になっていることを特徴とする請求項４から請求項１０のうちいずれかの請求項に記載のヘアカッター。
【請求項１２】
前記可動体は雌雄ねじ機構による刃体操作部により可動分割櫛部に対し移動することを特徴とする請求項１１に記載のヘアカッター。
【請求項１３】
前記刃体の刃先は各櫛歯間の隙間に露出しない退避状態を取り得ることを特徴とする請求項４から請求項１２のうちいずれかの請求項に記載のヘアカッター。
【請求項１４】
前記把持部は、各櫛歯の並設方向に対し直交する各櫛歯の厚み方向に沿って回動して固定分割櫛部に対する位置を変更し得る柄部を有していることを特徴とする請求項４から請求項１３のうちいずれかの請求項に記載のヘアカッター。
【発明の詳細な説明】
【技術分野】
【０００１】
本発明は、櫛部の各櫛歯間の隙間に露出し得る刃体を備えたヘアカッターに関するものである。
【背景技術】
【０００２】
下記特許文献１では、各櫛歯３間の隙間に対する刃先１２ａの露出量を変更してその隙間に入り込むヘアのカット量（カット後に残る頭髪等のカット長さ）をある程度調節することはできる。
【特許文献１】実開平１−９２９８２号公報
【発明の開示】
【発明が解決しようとする課題】
【０００３】
しかし、各櫛歯３間の隙間の間隔は一定であるため、その隙間に入り込むヘア量（ヘア本数）を変更してヘアカット量（ヘアカット本数）を調節する機能としては不十分であった。
【０００４】
この発明は、各櫛歯間の隙間に入り込むヘア量（ヘア本数）を変更してヘアカット量（ヘアカット本数）を容易に調節することを目的としている。
【課題を解決するための手段】
【０００５】
後記実施形態の図面（図１〜５に示す第１実施形態、図６〜９に示す第２実施形態、図１０〜１１に示す第３実施形態）の符号を援用して本発明を説明する。
請求項１の発明にかかるヘアカッターにおいては、互いに隙間（２２，２５，２８）をあけて並設した複数本の櫛歯（２３，２６，２９）を有する櫛部（２０，２４，２７）と、この各櫛歯（２３，２６，２９）間の隙間（４５，５１）に露出する刃体（１６）と、この各櫛歯（２３，２６，２９）間の隙間（４５，５１）のうち各櫛歯（２３，２６，２９）の並設方向（Ｘ）に沿う間隔（Ｇ）を調節する隙間間隔調節手段（３０）とを備えている。ちなみに、上記刃体（１６）の刃先（１６ａ）については、第１〜３実施形態に示すように各櫛歯（２３，２６，２９）間の隙間（４５，５１）に常時露出していてもよいし、図示しないが、その隙間（４５，５１）に適宜露出するようにしてもよい。請求項１の発明では、各櫛歯（２３，２６，２９）間で生じる隙間（４５，５１）の間隔（Ｇ）を変更可能にしたので、各櫛歯（２３，２６，２９）間の隙間（４５，５１）に入り込むヘア量（ヘア本数）を変更してヘアカット量（ヘアカット本数）を容易に調節することができる。
【０００６】
請求項１の発明を前提とする請求項２の発明において、前記隙間間隔調節手段（３０）は、互いに隙間（２２，２５，２８）をあけて並設した複数本の櫛歯（２３，２６，２９）を有する複数の分割櫛部（２０，２４，２７）を互いに面して並べてその各分割櫛部（２０，２４，２７）を互いに各櫛歯（２３，２６，２９）の並設方向（Ｘ）に沿って櫛操作部（３３）で相対移動可能に設けることにより、その各分割櫛部（２０，２４，２７）の相対移動に伴い、各分割櫛部（２０，２４，２７）の各櫛歯（２３，２６，２９）間で生じる隙間（４５，５１）の間隔（Ｇ）を変更可能にしている。例えば、この分割櫛部（２０，２４，２７）の数は第１〜２実施形態の場合に３枚であり、第３実施形態の場合に２枚である。請求項２の発明では、隙間間隔調節手段（３０）について、各分割櫛部（２０，２４，２７）を相対移動させるだけの簡単な構造にすることができる。
【０００７】
請求項２の発明を前提とする請求項３の発明において、前記各分割櫛部（２０，２４，２７）は、各櫛歯（２３，２６，２９）の並設方向（Ｘ）に対し直交する各櫛歯（２３，２６，２９）の厚み方向（Ｚ）で隣接する各櫛歯（２３，２６，２９）が互いに面して並ぶ状態を取り得る。ここに、「各櫛歯（２３，２６，２９）が厚み方向（Ｚ）で互いに面して並ぶ」とは、厚み方向（Ｚ）から各櫛歯（２３，２６，２９）を見た場合に各櫛歯（２３，２６，２９）の全部または一部が互いに交差して重なる重合状態を意味する。請求項３の発明では、その重合状態を基準にして各櫛歯（２３，２６，２９）間の隙間（４５，５１）の間隔（Ｇ）を容易に調節することができる。
【０００８】
請求項２または請求項３の発明を前提とする請求項４の発明において、前記複数の分割櫛部は、把持部（１）に設けた固定分割櫛部（２０，２４）と、この固定分割櫛部（２０，２４）に対し各櫛歯（２３，２６）の並設方向（Ｘ）に沿って移動可能に設けた可動分割櫛部（２７）とを備えている。例えば、固定分割櫛部（２０，２４）の櫛歯（２３，２６）と可動分割櫛部（２７）の櫛歯（２９）との前記重合状態からこの可動分割櫛部（２７）の櫛歯（２９）はこの固定分割櫛部（２０，２４）の櫛歯（２３，２６）に隣接する隙間（４５）の範囲で移動する。請求項４の発明では、隙間間隔調節手段（３０）について、固定分割櫛部（２０，２４）に対し可動分割櫛部（２７）を移動させるだけの簡単な構造にすることができる。
【０００９】
請求項４の発明を前提とする請求項５の発明において、前記可動分割櫛部（２７）は第１〜２実施形態に示すように一対の固定分割櫛部（２０，２４）間に挟持されている。請求項５の発明では、可動分割櫛部（２７）が両固定分割櫛部（２０，２４）間で移動しても、可動分割櫛部（２７）の外側にある両固定分割櫛部（２０，２４）の状態は変化しないので、使用時の感触を維持することができる。
【００１０】
請求項５の発明を前提とする請求項６の発明において、前記一対の固定分割櫛部（２０，２４）は、前記可動分割櫛部（２７）を挟持する挟持状態（Ｐ）と、この可動分割櫛部（２７）をこの両固定分割櫛部（２０，２４）間から取り出し得る挟持解除状態（Ｑ）とを取り得る。例えば、第１実施形態に示すように、両固定分割櫛部（２０，２４）のうち一方の固定分割櫛部（２４）は他方の固定分割櫛部（２０）に対し蓋部として開閉可能に支持され、蓋部としての固定分割櫛部（２４）と可動分割櫛部（２７）との間で、可動体（１５）は各櫛歯（２３，２６）の並設方向（Ｘ）に対し直交する各櫛歯（２３，２６）の長さ方向（Ｙ）に沿って可動分割櫛部（２７）に対し移動可能になっているとともに、この可動体（１５）に対し刃体（１６）が取り付けられ、蓋部としての固定分割櫛部（２４）が開放された挟持解除状態（Ｑ）で、この刃体（１６）が蓋部としての固定分割櫛部（２４）に面するように開放される。請求項６の発明では、可動分割櫛部（２７）や刃体（１６）の交換を容易に行うことができる。
【００１１】
請求項４または請求項５または請求項６の発明を前提とする請求項７の発明において、前記可動分割櫛部（２７）は雌雄ねじ機構（３３ａ，３３ｂ）による櫛操作部（３３）により固定分割櫛部（２０，２４）に対し移動する。請求項９の発明では、櫛操作部（３３）について、雌雄ねじ機構（３３ａ，３３ｂ）を利用した簡単な構造にすることができる。
【００１２】
請求項４から請求項７のうちいずれかの請求項の発明を前提とする請求項８の発明において、前記可動分割櫛部（２７）の櫛歯（２９）の先端部は、固定分割櫛部（２０，２４）の櫛歯（２３，２６）間の隙間（４５）で固定分割櫛部（２０，２４）の櫛歯（２３，２６）の先端部に対し各櫛歯（２３，２６）の並設方向（Ｘ）に沿って隣接する溝部（４９）を有している。ちなみに、この溝部（４９）については、各櫛歯（２３，２６）の並設方向（Ｘ）の両側に壁部を有する一般の溝形状ばかりではなく、第１〜２実施形態に示すように各櫛歯（２３，２６）の並設方向（Ｘ）の両側のうち片側にのみ壁部（４８）を有する形状も含む。請求項８の発明では、この溝部（４９）に入り込んだヘアが各櫛歯（２３，２６，２９）間の隙間（４５，５１）に流れ込まないので、その隙間（４５，５１）に入り込むヘア量（ヘア本数）を制限してヘアカット量（ヘアカット本数）を確実に制限することができる。
【００１３】
請求項４から請求項８のうちいずれかの請求項の発明を前提とする請求項９の発明において、前記刃体（１６）は前記各櫛歯（２３，２６，２９）の基端部と先端部との間で各櫛歯（２３，２６，２９）の並設方向（Ｘ）に沿って延びて各櫛歯（２３，２６，２９）間の隙間（４５，５１）に露出し得る刃先（１６ａ）を有し、この各櫛歯（２３，２６）の先端に対する刃先（１６ａ）の離間距離（Ｓ）を調節する刃先調節手段（３５）を備えている。請求項９の発明では、各櫛歯（２３，２６，２９）間の隙間（４５，５１）で刃先（１６ａ）の露出量を変更可能にしたので、ヘアカット量（カット後に残る頭髪等のカット長さ）を容易に調節することができる。
【００１４】
請求項９の発明を前提とする請求項１０の発明において、前記刃先調節手段（３５）は、各櫛歯（２３，２６）の並設方向（Ｘ）に対し直交する各櫛歯（２３，２６）の長さ方向（Ｙ）に沿って前記刃体（１６）を各櫛歯（２３，２６）に対し刃体操作部（３９）で相対移動可能に設けることにより、その刃体（１６）の相対移動に伴い、各櫛歯（２３，２６）の先端部に対する刃先（１６ａ）の離間距離（Ｓ）を変更可能にしている。請求項１０の発明では、刃先調節手段（３５）について、刃体（１６）を各櫛歯（２３，２６）に対し相対移動させるだけの簡単な構造にすることができる。
【００１５】
請求項４から請求項１０のうちいずれかの請求項の発明を前提とする請求項１１の発明にかかる前記刃先調節手段（３５）において、刃体（１６）は可動体（１５）に取り付けられ、この可動体（１５）は各櫛歯（２３，２６）の並設方向（Ｘ）に対し直交する各櫛歯（２３，２６）の長さ方向（Ｙ）に沿って前記可動分割櫛部（２７）に対し移動可能になっている。例えば、第１〜２実施形態に示すように、この可動分割櫛部（２７）と可動体（１５）とは、共に固定分割櫛部（２０，２４）に対し移動可能に支持され、しかも、可動分割櫛部（２７）の移動と可動体（１５）の移動とのうち一方の移動により他方の移動が生じないように、互いに別々に移動し得る。請求項１１の発明では、刃先調節手段（３５）について、可動体（１５）を各櫛歯（２３，２６）に対し刃体（１６）とともに相対移動させるだけの簡単な構造にすることができる。
【００１６】
請求項１１の発明を前提とする請求項１２の発明において、前記可動体（１５）は雌雄ねじ機構（３９ａ，３９ｂ）による刃体操作部（３９）により可動分割櫛部（２７）に対し移動する。請求項１２の発明では、刃体操作部（３９）について、雌雄ねじ機構（３９ａ，３９ｂ）を利用した簡単な構造にすることができる。
【００１７】
請求項４から請求項１２のうちいずれかの請求項の発明を前提とする請求項１３の発明において、前記刃体（１６）の刃先（１６ａ）は各櫛歯（２３，２６，２９）間の隙間（４５，５１）に露出しない退避状態（図示せず）を取り得る。請求項１３の発明では、切断機能のない櫛部（２０，２４，２７）を有するヘアカッターとしても利用することができるとともに、刃先（１６ａ）が露出していないためにヘアを不用意にカットすることはなくなる。
【００１８】
請求項４から請求項１３のうちいずれかの請求項の発明を前提とする請求項１４の発明において、前記把持部（１）は、各櫛歯（２３，２６，２９）の並設方向（Ｘ）に対し直交する各櫛歯（２３，２６，２９）の厚み方向（Ｚ）に沿って回動して固定分割櫛部（２０，２４，，２７）に対する位置を変更し得る柄部（３）を有している。請求項１４の発明では、柄部（３）を握った手に対する櫛部（２０，２４，２７）の位置を変えることができるので、使い易くなる。
【００１９】
請求項５または請求項６を前提とする第１５の発明は、下記のように構成されている。
前記一対の固定分割櫛部（２０，２４）のうち、一方の固定分割櫛部（２０）の櫛歯（２３）の先端部には他方の固定分割櫛部（２４）の櫛歯（２６）の先端部へ向けて厚み方向（Ｚ）に折曲した屈曲部（４３）を形成している。この屈曲部（４３）を他方の固定分割櫛部（２４）の櫛歯（２６）の先端部端面（２６ａ）に当接させて、一対の固定分割櫛部（２０，２４）の櫛歯（２３，２６）の内側には一対の固定分割櫛部（２０，２４）の櫛歯（２３，２６）間の隙間（４５）に連通する収容室（４６）を形成した。前記可動分割櫛部（２７）の櫛歯（２９）はこの収容室（４６）と隙間（４５）との間で移動する。例えば、他方の固定分割櫛部（２４）の櫛歯（２６）の先端部には、第１６の発明にかかる可動分割櫛部（２７）の櫛歯（２９）の屈曲部（４７）が嵌まり込む段差部（５０）を形成している。第１５の発明では、一方の固定分割櫛部（２０）の櫛歯（２３）と他方の固定分割櫛部（２４）の櫛歯（２６）との間の当接による境界線（４４）が他方の固定分割櫛部（２４）の櫛歯（２６）の先端部端面（２６ａ）で生じるので、ヘアが一方の固定分割櫛部（２０）の櫛歯（２３）の屈曲部（４３）に接触してこの境界線（４４）にくい込みにくくなり、使い勝手を良くすることができる。なお、この境界線（４４）ではヘアを通さない程度の僅かな隙間が生じていてもよい。
【００２０】
請求項５または請求項６を前提とする第１６の発明は、下記のように構成されている。
前記一対の固定分割櫛部（２０，２４）のうち、一方の固定分割櫛部（２０）の櫛歯（２３）の先端部と他方の固定分割櫛部（２４）の櫛歯（２６）の先端部とを互いに当接させて、一対の固定分割櫛部（２０，２４）の櫛歯（２３，２６）の内側には一対の固定分割櫛部（２０，２４）の櫛歯（２３，２６）間の隙間（４５）に連通する収容室（４６）を形成した。前記可動分割櫛部（２７）の櫛歯（２９）はこの収容室（４６）と隙間（４５）との間で移動する。この可動分割櫛部（２７）の櫛歯（２９）の先端部には他方の固定分割櫛部（２４）の櫛歯（２６）の先端部へ向けて厚み方向（Ｚ）に折曲した屈曲部（４７）を形成している。例えば、この可動分割櫛部（２７）の櫛歯（２９）の屈曲部（４７）は、第１５の発明における一方の固定分割櫛部（２０）の櫛歯（２３）の屈曲部（４３）と同じ向きへ折曲されている。第１６の発明では、この屈曲部（４７）以外で可動分割櫛部（２７）の厚みを薄くすることができる反面、ヘアがこの屈曲部（４７）に載り易くなって使い勝手を良くすることができる。
【発明の効果】
【００２１】
本発明は、ヘアカッターにおいて各櫛歯（２３，２６，２９）間で生じる隙間（４５，５１）の間隔（Ｇ）を変更することにより、各櫛歯（２３，２６，２９）間の隙間（４５，５１）に入り込むヘア量（ヘア本数）を変更してヘアカット量（ヘアカット本数）を容易に調節することができる。
【発明を実施するための最良の形態】
【００２２】
〔第１実施形態〕
まず、本発明の第１実施形態にかかるヘアカッターについて図１〜５を参照して説明する。
【００２３】
図１（ａ）に示すように、このヘアカッターの把持部１は頭部２と柄部３とを備えている。この頭部２の基端部には二股状の連結部４が形成されているとともに、この柄部３の先端部には腕部５が二股状に形成され、この頭部２の連結部４がこの柄部３の両腕部５間に挿入されて支軸６によりこの両腕部５に対し回動可能に支持されている。図２，３に示すようにこの連結部４に形成された両腕部７には係止突起８が形成されているとともに、図１（ｂ）に示すようにこの柄部３の両腕部５には３個の係止孔９が支軸６の回動中心線６ａを中心とする回動軌跡に沿って並ぶように形成されている。この支軸６の回動中心線６ａを中心に柄部３を頭部２に対し頭部２の厚み方向Ｚに沿って３段階に回動させると、この各係止孔９のうちいずれかのものにこの係止突起８が係入されて位置決めされる。また、この連結部４の両腕部７にはストッパ凹部１０が形成されているとともに、この柄部３の両腕部５にはストッパ凸部１１が形成され、このストッパ凸部１１がこのストッパ凹部１０に係入されて頭部２に対する柄部３の回動範囲が規制される。ちなみに、このヘアカッターにおいて頭部２と柄部３とを合わせた最大長さＬは１７５ｍｍであり、頭部２の最大幅Ｗは６２ｍｍであり、頭部２に対する柄部３の最大回動角度θは約１０度である。なお、この最大長さＬについては８０ｍｍ以上３００ｍｍ以下に設定したり、それ以外の値に設定してもよい。
【００２４】
図２，３に示すように、前記把持部１の頭部２は、前記連結部４を有する台板１２と、この台板１２に重合される蓋板１３と、この台板１２と蓋板１３との間に嵌め込まれる可動板１４、可動体１５及び刃体１６とを備えている。
【００２５】
前記蓋板１３は、前記台板１２に対しそれらのヒンジ部１７，１８で頭部２の厚み方向Ｚに沿って回動可能に支持され、図１（ｂ）に示すように、台板１２の内側に重合される挟持状態Ｐと、台板１２の内側を開放する挟持解除状態Ｑとを取り得る。この挟持状態Ｐで台板１２の先端部と蓋板１３の先端部とが止め体１９により連結され、この止め体１９を外すと、蓋板１３を前記支軸６の回動中心線６ａと平行な前記ヒンジ部１７，１８の回動中心線１７ａ，１８ａを中心に回動させて挟持解除状態Ｑにすることができる。この台板１２には、頭部２の幅方向Ｙの両側のうち、一方の側で表側固定分割櫛部２０が形成され、他方の側で櫛部２１が形成されている。この表側固定分割櫛部２０は互いに等間隔の隙間２２をあけて並設した同一長さの複数本の櫛歯２３を有している。この蓋板１３には、頭部２の幅方向Ｙの両側のうち、表側固定分割櫛部２０に面する一方の側で裏側固定分割櫛部２４が形成されている。この裏側固定分割櫛部２４は互いに等間隔の隙間２５をあけて並設した同一長さの複数本の櫛歯２６を有している。
【００２６】
前記可動板１４には、頭部２の幅方向Ｙの両側のうち、表側固定分割櫛部２０に面する一方の側で可動分割櫛部２７が形成されている。この可動分割櫛部２７は互いに等間隔の隙間２８をあけて並設した同一長さの複数本の櫛歯２９を有している。図４（ａ）に示すように、この可動板１４は前記台板１２の内側に対し隙間間隔調節手段３０により支持されている。この隙間間隔調節手段３０においては、台板１２の内側に一対の案内溝３１が延設されているとともに、この台板１２の内側に面する可動板１４の片側に一対の案内突条３２が延設され、この両案内溝３１にこの両案内突条３２が係入されて可動板１４が台板１２に対し櫛操作部３３により各櫛歯２３，２９の並設方向Ｘへ移動し得る。この櫛操作部３３は、雌雄ねじ機構であって、可動板１４に形成された雄ねじ部３３ａと、台板１２に形成された支持孔３４に対し回動可能に嵌め込まれた雌ねじ部材３３ｂとを備え、この雌ねじ部材３３ｂがこの雄ねじ部３３ａに螺合されている。この雌ねじ部材３３ｂを回動させると、この雄ねじ部３３ａを介して可動板１４が各櫛歯２３，２９の並設方向Ｘへ移動する。
【００２７】
図４（ｂ）に示すように、前記可動体１５は前記台板１２の内側に対し刃先調節手段３５により支持されている。この刃先調節手段３５においては、台板１２の内側に一対の案内溝３６が延設されているとともに、前記可動板１４に面する可動体１５の片側に一対の案内突条３７が延設され、この両案内溝３６にこの両案内突条３７が可動板１４の両移動回避孔３８を通して係入されて可動体１５が台板１２に対し刃体操作部３９により各櫛歯２３，２９の長さ方向へＹへ移動し得る。この刃体操作部３９は、雌雄ねじ機構であって、可動体１５に形成された雄ねじ部３９ａと、台板１２に形成された支持孔４０に対し回動可能に嵌め込まれた雌ねじ部材３９ｂとを備え、この雌ねじ部材３９ｂがこの雄ねじ部３９ａに螺合されている。この雌ねじ部材３９ｂを回動させると、この雄ねじ部３９ａを介して可動体１５が各櫛歯２３，２９の長さ方向Ｙへ移動する。前記可動板１４の両移動回避孔３８にこの可動体１５の両案内突条３７が挿入されているため、可動板１４の移動と可動体１５の移動とのうち一方の移動により他方の移動が影響されず、互いに別々に移動し得る。前記蓋板１３の内側に面するこの可動体１５の片側にはこの蓋板１３の内側に形成された移動回避凹部４１に面して位置決め突条４２が延設され、この可動体１５の片側に載せられた前記刃体１６にこの位置決め突条４２が挿嵌されている。この刃体１６は可動体１５とともに各櫛歯２３，２９の長さ方向Ｙへ移動する。
【００２８】
図５（ａ）に示すように、前記表側固定分割櫛部２０の各櫛歯２３の先端部には前記裏側固定分割櫛部２４の各櫛歯２６の先端部へ向けて厚み方向Ｚに折曲された屈曲部４３が形成されている。前記挟持状態Ｐではこの屈曲部４３が裏側固定分割櫛部２４の各櫛歯２６の先端部端面２６ａに当接してそれらの間で境界線４４が生じる。この表側固定分割櫛部２０の各櫛歯２３及び裏側固定分割櫛部２４の各櫛歯２６の内側には各櫛歯２３，２６間の隙間４５（前記各櫛歯２３間の隙間２２と前記各櫛歯２６間の隙間２５とを互いに合わせたもの）に連通する収容室４６が形成される。前記刃体１６の刃先１６ａは、各櫛歯２３，２６の並設方向Ｘに沿って延び、この隙間４５に常に露出している。図５（ｂ）（ｃ）（ｄ）（ｅ）に示すように、前記可動分割櫛部２７の各櫛歯２９はこの収容室４６と隙間４５との間で移動する。この可動分割櫛部２７の各櫛歯２９の先端部には前記裏側固定分割櫛部２４の各櫛歯２６の先端部へ向けて厚み方向Ｚに折曲された屈曲部４７が形成されている。この屈曲部４７は前記表側固定分割櫛部２０の各櫛歯２３の屈曲部４３と同じ向きへ折曲されている。この屈曲部４７には各櫛歯２９の並設方向Ｘの両側のうち片側に壁部４８が突設されてこの壁部４８によりＬ状の切欠部４９（溝部）が形成されている。前記裏側固定分割櫛部２４の各櫛歯２６の先端部内側には可動分割櫛部２７の各櫛歯２９の屈曲部４７が嵌まり込む段差部５０が形成されている。
【００２９】
図５（ｂ）に示す状態では、表側固定分割櫛部２０の各櫛歯２３と裏側固定分割櫛部２４の各櫛歯２６との間の収容室４６に可動分割櫛部２７の各櫛歯２９が入り込んで、この各櫛歯２３，２６間の隙間４５のうち各櫛歯２３，２６の並設方向Ｘに沿う間隔Ｇが最大になっている。そのため、この隙間４５に入り込むヘア量（ヘア本数）が最も多くなる。従って、ヘアカット量（ヘアカット本数）も最も多くなる。また、刃体１６の刃先１６ａがこの隙間４５で露出して各櫛歯２３，２６の先端に対する刃先１６ａの離間距離Ｓが最大であって隙間４５への刃先１６ａの露出量が小さくなっている。そのため、刃先１６ａがヘアの根元を切断しにくくなる。従って、カット後に残るヘアのカット長さ（ヘアカット量）が最も長くなる。
【００３０】
図５（ｂ）に示す状態から、可動分割櫛部２７を図５（ｃ）に示すように各櫛歯２３，２６の並設方向Ｘへ移動させると、可動分割櫛部２７の櫛歯２９が各櫛歯２３，２６間の隙間４５の範囲で移動してこの各櫛歯２３，２６と櫛歯２９との間で生じる隙間５１の間隔Ｇを調節することができる。そのため、この隙間５１に入り込むヘア量（ヘア本数）が少なくなる。従って、ヘアカット量（ヘアカット本数）も少なくなる。また、可動分割櫛部２７の櫛歯２９の屈曲部４７で壁部４８と各櫛歯２３，２６との間に切欠部４９による溝部５２が形成される。そのため、この溝部５２に入り込んだヘアが隙間５１に流れ込まない。従って、その隙間５１に入り込むヘア量（ヘア本数）を制限してヘアカット量（ヘアカット本数）を確実に制限することができる。
【００３１】
図５（ｂ）に示す状態から、刃体１６を図５（ｄ）に示すように各櫛歯２３，２６の長さ方向Ｙへ移動させると、刃先１６ａが各櫛歯２３，２６の先端に接近して前記刃先１６ａの離間距離Ｓを調節し、隙間４５への刃先１６ａの露出量を大きくすることができる。そのため、刃先１６ａがヘアの根元を切断し易くなる。従って、カット後に残るヘアのカット長さ（ヘアカット量）が短くなる。
【００３２】
図５（ｂ）に示す状態から、可動分割櫛部２７及び刃体１６を図５（ｅ）に示すように同様に移動させると、前記隙間５１の間隔Ｇと前記刃先１６ａの離間距離Ｓとを共に調節することができる。
【００３３】
なお、隙間４５への刃先１６ａの露出量を調節することにより、ヘアの長さや部位による使い分けが可能となる。例えば、図５（ｂ）（ｃ）に示すように隙間４５への刃先１６ａの露出量を小さくした場合には、櫛機能が高まり、長い頭髪を梳かしながらカットすることもできる。また、図５（ｄ）（ｅ）に示すように隙間４５への刃先１６ａの露出量を大きくした場合には、頭髪の襟足をカットすることもできる。
【００３４】
〔第２実施形態〕
次に、本発明の第２実施形態にかかるヘアカッターについて第１実施形態との相違点を中心に図６〜９を参照して説明する。
【００３５】
前記第１実施形態では、台板１２に可動板１４が重合されているとともに、この可動板１４に可動体１５が重合され、この可動体１５に位置決めされた刃体１６が蓋板１３に面している。この第２実施形態では、台板１２に可動板１４が重合されているとともに、蓋板１３に可動体１５が重合され、この可動体１５に位置決めされた刃体１６が可動板１４に面している。このように可動体１５と刃体１６との位置関係を頭部２の厚み方向Ｚで互いに逆にしたため、下記・のように変更している。
【００３６】
・  第１実施形態の可動体１５にある案内突条３７と位置決め突条４２とが第２実施形態では頭部２の厚み方向Ｚで互いに逆に形成されている。
・  第１実施形態の台板１２にある案内溝３６が第２実施形態では蓋板１３に形成されている。
【００３７】
・  第１実施形態の蓋板１３にある移動回避凹部４１が第２実施形態では可動板１４に形成されている。
・  第１実施形態の可動板１４にある移動回避孔３８が第２実施形態では省略されている。
【００３８】
〔第３実施形態〕
次に、本発明の第３実施形態にかかるヘアカッターについて図１０〜１１を参照して説明する。この第３実施形態では、第１実施形態と比較して、下記・の点で特に相違しているほか、各部品の形状が変更されている。
【００３９】
・  第３実施形態では、第１実施形態の台板１２で表側固定分割櫛部２０が省略されている。
・  可動体１５が可動板１４に対し各櫛歯２９の長さ方向Ｙへ移動可能に支持され、この可動板１４が各櫛歯２９の並設方向Ｘへ移動すると、可動体１５も刃体１６とともに各櫛歯２９の並設方向Ｘへ移動する。
【００４０】
〔別例〕
＊  図示しないが、刃体１６の刃先１６ａが各櫛歯２３，２６，２９間の隙間４５，５１に露出しない退避状態を取るようにしてもよい。
【００４１】
＊  図示しないが、前記固定分割櫛部２０，２４の外側に複数種類の櫛状アタッチメントを着脱可能に支持して、各櫛歯間の隙間の間隔を調節するようにしてもよい。また、可動分割櫛部を固定分割櫛部に対し移動させることなく、可動分割櫛部を着脱可能にしてその可動分割櫛部を取り外したり別の可動分割櫛部と交換したりすることにより、各櫛歯間の隙間の間隔を調節するようにしてもよい。
【図面の簡単な説明】
【００４２】
【図１】（ａ）は第１実施形態にかかるヘアカッターを示す正面図であり、（ｂ）は同じく平面図である。
【図２】第１実施形態にかかるヘアカッターを正面側から見た分解斜視図である。
【図３】第１実施形態にかかるヘアカッターを背面側から見た分解斜視図である。
【図４】（ａ）（ｂ）はそれぞれ図３に示すヘアカッターを組み付けて背面側から見た一部切欠き背面図である。
【図５】（ａ）は図１の櫛部を示す部分拡大断面図であり、（ｂ）（ｃ）（ｄ）（ｅ）はそれぞれ各櫛歯及び刃体を示す作用説明図である。
【図６】第２実施形態にかかるヘアカッターを正面側から見た分解斜視図である。
【図７】第２実施形態にかかるヘアカッターを背面側から見た分解斜視図である。
【図８】（ａ）は図６に示すヘアカッターを組み付けて正面側から見た一部切欠き正面図であり、（ｂ）は図７に示すヘアカッターを組み付けて背面側から見た一部切欠き背面図である。
【図９】図６に示すヘアカッターを組み付けて正面側から見た一部切欠き正面図である。
【図１０】（ａ）（ｂ）（ｃ）（ｄ）はそれぞれ第３実施形態にかかるヘアカッターにおいて各櫛歯及び刃体を示す作用説明図である。
【図１１】（ａ）（ｂ）はそれぞれ第３実施形態にかかるヘアカッターを組み付けて背面側から見た一部切欠き背面図である。
【符号の説明】
【００４３】
１…把持部、３…柄部、１５…可動体、１６…刃体、１６ａ…刃先、２０…表側の固定分割櫛部、２２…隙間、２３…櫛歯、２４…裏側の固定分割櫛部、２５…隙間、２６…櫛歯、２７…可動分割櫛部、２８…隙間、２９…櫛歯、３０…隙間間隔調節手段、３３…櫛操作部、３３ａ…雄ねじ部、３３ｂ…雌ねじ部、３５…刃先調節手段、３９…刃体操作部、３９ａ…雄ねじ部、３９ｂ…雌ねじ部、４５…隙間、４９…切欠部（溝部）、５１…隙間、Ｇ…隙間の間隔、Ｓ…刃先の離間距離、Ｐ…挟持状態、Ｑ…挟持解除状態、Ｘ…櫛歯の並設方向、Ｙ…櫛歯の長さ方向、Ｚ…櫛歯の厚み方向。
【図１】
2005185580.tif 000003
【図２】
2005185580.tif 000004
【図３】
2005185580.tif 000005
【図４】
2005185580.tif 000006
【図５】
2005185580.tif 000007
【図６】
2005185580.tif 000008
【図７】
2005185580.tif 000009
【図８】
2005185580.tif 000010
【図９】
2005185580.tif 000011
【図１０】
2005185580.tif 000012
【図１１】
2005185580.tif 000013